(57)【特許請求の範囲】
【請求項１】
上流端に玉振分部を有する仕分けリブと、該仕分けリブに沿ってその両側に設けられた左右側壁とを有する２条の玉整列通路と、該玉整列通路の下流側における各条の玉整列通路のそれぞれに設けられた玉通過センサとを有し、両玉通過センサの玉通過信号を合算して玉数を計数するパチンコ玉計数装置において、
前記合算玉数が所定個数に達するまでの間に、前記両玉通過センサの片方からしか玉通過検出信号が得られないときには、前記玉通過センサの入口側において玉の流れを所定時間だけ阻止して前記仕分けリブの玉振分部に至るまで玉整列通路内に玉を滞留させ、しかる後に玉の流れを再開させることにより強制的に２条の玉整列通路の双方に玉を流し、その状態にてもなお片方の玉通過センサからしか玉通過信号が得られないときには、当該玉通過信号を発することのない玉通過センサを故障と判定することを特徴とするパチンコ玉計数装置におけるセンサ故障判定方法。
【請求項２】
上流端に玉振分部を有する仕分けリブと、該仕分けリブに沿ってその両側に設けられた左右側壁とを有する２条の玉整列通路と、該玉整列通路の下流側における各条の玉整列通路のそれぞれに設けられた玉通過センサとを有し、両玉通過センサの玉通過信号を合算して玉数を計数するパチンコ玉計数装置において、
前記合算玉数が所定個数に達するまでの間に、前記両玉通過センサの片方からしか玉通過検出信号が得られない状態を検出する第１の状態検出手段と、
前記第１の状態検出手段が所定の状態を検出するのに応答して、両玉通過センサの入口側に設けられたシャッタを所定時間に限り閉じさせるタイマ手段と、
前記シャッタの再開後、合算玉数が所定個数に達するまでの間に、なおも両玉通過センサの片方からしか玉通過信号が得られない状態を検出する第２の状態検出手段と、を備え、
前記第２の状態検出手段が所定の状態を検出したときに故障と判定することを特徴とするパチンコ玉計数装置におけるセンサ故障判定装置。
【請求項３】
請求項１に記載された方法又は請求項２に記載された装置を有することを特徴とする獲得玉自己計数型パチンコ台。
【発明の詳細な説明】
【０００１】
【発明の属する技術分野】
この発明は、パチンコ玉計数装置におけるセンサ故障判定方法及び装置に係り、特に、ドル箱不要タイプの獲得玉自己計数型パチンコ台への設置に好適であり、センサ故障の判定が正確に行なえるパチンコ玉計数装置におけるセンサ故障判定方法及び装置に関する。
【０００２】
【従来の技術】
通常、遊技場では、獲得した出玉を、ドル箱と称する容器内に収容し、パチンコ台周辺の通路に積み重ね、精算する際にジェットカウンタまでドル箱を運び、出玉を投入することにより獲得出玉の計数を行なっている。
【０００３】
従って、ドル箱を通路に載置するため、通路が狭められ、客や係員が通路を通行する際に不便を感じることが多く、また、遊戯終了時に各ドル箱をジェットカウンタまで運ぶ必要があり、多くのドル箱を獲得した場合等、遊戯場に設置されている台車上に各ドル箱を積載して、ジェットカウンタまで運ばなければならず、このことも不便を強いる大きな要因となっていた。
【０００４】
また、使用済みのドル箱は、煙草の灰等により内面が汚れているため、各ドル箱の内面を清掃する手間がかかり、また、ドル箱の設置スペースも必要になるなど、ドル箱管理においても種々の問題点があった。
【０００５】
これらを対策するために、最近では、パチンコ台毎に出玉を計数する計数装置を設置した獲得玉自己計数型パチンコ台を導入する店が多くなってきており、通路並びに遊戯スペースを広く確保でき、かつ精算時にもジェットカウンタまでドル箱を運ぶ手間が省ける等、好評を博している。
【０００６】
この自己計数型のパチンコ台に設置される計数装置の構成を図１４，図１５を基に簡単に説明すると、パチンコ台１に設置されるパチンコ玉計数装置２は、パチンコ台１の下皿１ａの下側に設置される受け皿通路部３と、受け皿通路部３から供給されるパチンコ玉を計数する計数部４とから構成されている。
【０００７】
そして、パチンコ玉計数装置２における受け皿通路部３、並びに計数部４にはパチンコ玉が２列に整列状で流れる玉整列通路５が設けられており、図１５中矢印で示すパチンコ玉Ｐがこの玉整列通路５に沿って流れ、この玉整列通路５の下流側に設けた玉通過センサ６ａ，６ｂによりパチンコ玉の通過を検出して、玉通過信号を合算して、パチンコ玉の出玉を計数するという構成となっている。
【０００８】
また、上記玉通過センサ６ａ，６ｂの上流側には、停電で電源が断たれたときに計数部の玉が未計数になるのを防止するためのシャッタ機構７が設置されている。このシャッタ機構７は、図１６に示すように、ソレノイド７ａと、シャッタ７ｂと、ばね７ｃとから構成されており、停電時等、ソレノイド７ａを動作させることにより、シャッタ７ｂが下降し、パチンコ玉Ｐの流れを停止させる。
【０００９】
ところで、このパチンコ玉計数装置２には、玉通過センサ６の故障を判定するために以下のセンサ故障判定方法が採用されている。
【００１０】
すなわち、図１７に示すフローチャート図を基に説明すると、まず、計数部４の玉整列通路５の玉通過センサ６ａ，６ｂを通じてパチンコ玉Ｐを計数する（ステップ１０１）。そして、このとき、玉通過センサ６ａ，６ｂの双方にパチンコ玉が通過したかどうかを判定し、２つの玉通過センサ６ａ，６ｂから検出信号が送信されている（ステップ１０２“ＹＥＳ）時、所定個数（ｎ個）までパチンコ玉Ｐの計数を続行（ステップ１０１）する。また、玉通過センサ６ａ，６ｂの片方から検出信号が送信されない（ステップ１０２“ＮＯ”）時には、シャッタ機構７を閉鎖（ステップ１０３）し、玉通過センサ６の故障としてエラー信号が出力される（ステップ１０４）。
【００１１】
【発明が解決しようとする課題】
このように、パチンコ台毎に設置されるパチンコ玉計数装置２においては、玉通過センサ６が、ある一定個数に対してパチンコ玉の検出を行なうかをみて、反応がない場合は、故障と判定していた。
【００１２】
しかしながら、このような従来のセンサ故障判定方法では、通路形状や受け皿通路部３の傾斜状態等により、少数のパチンコ玉Ｐを連続で流したとき、２列の玉整列通路５のうち、一方側からしか玉が流れないいわゆる片流れ現象が生じやすく、センサが故障していないのに故障と判断してしまうという問題点があった。
【００１３】
この発明は、パチンコ玉計数装置における上述の欠点に着目してなされたもので、その目的とするところは、シャッタ機構を有効に制御することでパチンコ玉の整列通路における片流れを解消し、玉通過センサの故障判定を正確に行なうようにしたパチンコ玉計数装置におけるセンサ故障判定方法並びにその装置を提供することにある。
【００１４】
【課題を解決するための手段】
上記目的を達成するために、請求項１記載のセンサ故障判定方法は、上流端に玉振分部を有する仕分けリブと、該仕分けリブに沿ってその両側に設けられた左右側壁とを有する２条の玉整列通路と、該玉整列通路の下流側における各条の玉整列通路のそれぞれに設けられた玉通過センサとを有し、両玉通過センサの玉通過信号を合算して玉数を計数するパチンコ玉計数装置において、前記合算玉数が所定個数に達するまでの間に、前記両玉通過センサの片方からしか玉通過検出信号が得られないときには、前記玉通過センサの入口側において玉の流れを所定時間だけ阻止して前記仕分けリブの玉振分部に至るまで玉整列通路内に玉を滞留させ、しかる後に玉の流れを再開させることにより強制的に２条の玉整列通路の双方に玉を流し、その状態にてもなお片方の玉通過センサからしか玉通過信号が得られないときには、当該玉通過信号を発することのない玉通過センサを故障と判定することを特徴とする。
【００１５】
本願の請求項２記載のセンサ故障判定装置は、上流端に玉振分部を有する仕分けリブと、該仕分けリブに沿ってその両側に設けられた左右側壁とを有する２条の玉整列通路と、該玉整列通路の下流側における各条の玉整列通路のそれぞれに設けられた玉通過センサとを有し、両玉通過センサの玉通過信号を合算して玉数を計数するパチンコ玉計数装置において、前記合算玉数が所定個数に達するまでの間に、前記両玉通過センサの片方からしか玉通過検出信号が得られない状態を検出する第１の状態検出手段と、前記第１の状態検出手段が所定の状態を検出するのに応答して、両玉通過センサの入口側に設けられたシャッタを所定時間に限り閉じさせるタイマ手段と、前記シャッタの再開後、合算玉数が所定個数に達するまでの間に、なおも両玉通過センサの片方からしか玉通過信号が得られない状態を検出する第２の状態検出手段と、を備え、前記第２の状態検出手段が所定の状態を検出したときに故障と判定することを特徴とする。
【００１６】
従って、請求項１乃至２記載の発明によれば、２条の玉整列通路にパチンコ玉が正常に流れている間は、パチンコ玉の計数が正常に行なわれ、２条の玉整列通路のうち一方側のみパチンコ玉が流れる通常片流れ状態にあるとき、玉流れがない玉通過センサを故障と誤って判定していたが、この片流れ状態のとき、玉通過センサの入口側においてパチンコ玉の流れを所定時間だけ阻止して、整列通路内にパチンコ玉を滞留させ、その後、玉流れを再開させることにより、強制的に２列の玉整列通路の双方に玉を流し、その状態において玉通過センサの故障判定を行なうというものであるから、片流れ状態時でのセンサ判定を回避できるため、センサの故障判定を正確に行なえる。
【００１７】
本願の請求項３に記載の獲得玉自己計数型パチンコ台は、請求項１に記載された方法又は請求項２に記載された装置を有することを特徴とする。
【００１８】
従って、請求項３に記載の発明によれば、複数の玉整列通路での片流れが生じやすい獲得玉自己計数型パチンコ台におけるセンサ故障を正確に行なうことができる。
【００１９】
【発明の実施の形態】
以下、本発明に係るパチンコ玉計数装置におけるセンサ故障判定方法及びその装置の実施の形態について、図面を参照しながら詳細に説明する。
【００２０】
図１は本発明に係るパチンコ玉計数装置における受け皿通路部を示す斜視図、図２は同パチンコ玉計数装置の構成を示す一部破断側面図、図３は同パチンコ玉計数装置を示す平面図、図４乃至図５は本発明に係るパチンコ玉計数装置における受け皿通路部を示す分解斜視図並びに正面図、図６は本発明に係るパチンコ玉計数装置における計数部の構成を示す分解斜視図、図７は同計数部におけるシャッタ機構の構成を示す分解斜視図、図８は同シャッタ機構の構成を示す（ａ）は開放時、（ｂ）は閉鎖時の状態をそれぞれ示す断面図、図９は本発明に係るセンサ故障判定装置を示すブロック図、図１０は本発明方法におけるマイコンの制御状態を示すフローチャート図、図１１乃至図１３は、本発明方法を経時的に示すもので、図１１はパチンコ玉整列通路内のパチンコ玉片流れ状態を示す受け皿通路部の平面図、図１２はシャッタ機構閉鎖によるパチンコ玉の貯留状態を示す受け皿通路部の平面図、図１３はシャッタを再開した際のパチンコ玉の流れ状態を示す受け皿通路部の平面図である。
【００２１】
まず、本発明に係るパチンコ玉計数装置１０は、図１，図２に示すように、受け皿通路部２０と計数部３０とから大略構成されており、受け皿通路部２０は、各パチンコ台１のゲージ盤面の下部側に設置される下皿１ａの下方に、パチンコ台１毎に設置されている。
【００２２】
そして、図３乃至図５に示すように、パチンコ玉計数装置１０における受け皿通路部２０は、計数部３０に取り付けるためのホルダ２１と、このホルダ２１に連接されるエルボ型の固定側のケース２２と、固定側のケース２２と連接され、所定角度傾斜でき、パチンコ台の下皿１ａ下方に位置する上流側のケース２３とから構成されており、各ケース２２，２３の底面中央には、仕分けリブ２４が玉振分部２４ａを基点として玉の流れ方向に沿って条設され、仕分けリブ２４の左右側に２列の玉整列通路２５ａ，２５ｂが区画形成されている。
【００２３】
さらに詳しくは、上流側のケース２３には、玉整列通路２５ａ，２５ｂの左右側壁を含むフランジ２３１が周設され、下皿１ａから供給される多量のパチンコ玉Ｐを貯留できるとともに、ケース２３の内部底面には緩衝性をもつゴム板２３２が敷設され、外表面はカバー体２３３により被包されている。また、ケース２３は、サポートメンバー２６を介して図５中実線位置と点線位置との間で取付姿勢を可変できる構成になっており、アジャスタ２６１により安定して支持され、ハンドル２６２により手動で傾斜角度を可変操作できる。
【００２４】
一方、固定側のケース２２においても、玉整列通路２５ａ，２５ｂの両側に左右側壁２２１が設けられており、このケース２２の下流側には、通路シャッタ２７が設置され、通路シャッタ２７は、シャッタケース２７１内にシャッタ通路２７２並びにばね２７３が介装されており、この通路シャッタ２７は大当たり時に玉詰まり等が発生し、受け皿通路部に玉が満杯状態のまま手動で取り外した際、パチンコ玉がこぼれるのを防止するための機構である。
【００２５】
以上のように、本発明に係るパチンコ玉計数装置２０における受け皿通路部２０は、パチンコ台１の下皿１ａからのパチンコ玉Ｐを受け、仕分けリブ２４の玉振分部２４ａから区画される２列の玉整列通路２５ａ，２５ｂを通してパチンコ玉Ｐを計数部３０に送り込む機能を備えている。
【００２６】
次いで、計数部３０は、図２及び図６に示すように、本体フレーム３１内に通路ケース３２が内装されており、この通路ケース３２には、左右側壁３２１、及び中央の仕分けリブ３２２により、受け皿通路部２０の玉整列通路２５ａ，２５ｂと連接する２列の玉整列通路３３ａ，３３ｂが設けられている。そして、玉整列通路３３ａ，３３ｂの上流側にはシャッタ機構４０が設置されるとともに、下流側にセンサ機構５０が設けられている。
【００２７】
上記シャッタ機構４０は、停電時にカウントされないでパチンコ玉Ｐが流れるのを防止する電断用のもので、本発明では、このシャッタ機構４０を有効に利用してセンサの故障判定を正確に行なうことが特徴である。
【００２８】
このシャッタ機構４０は、図７に示すように、シャッタ部フレーム４１にソレノイド本体４２が取り付けられるとともに、ソレノイド本体４２のプランジャー４２１にシャッタレバー４３を保持するシャッタレバーブラケット４３１が取り付けられ、シャッタレバー復帰用ばね４３２並びにシャッタ閉用ばね４２２がそれぞれ介装設置されるという構成である。上記シャッタレバー４３は、シャッタ部フレーム４１の底面に設けた開口４１１から通路ケース３２の玉整列通路３３ａ，３３ｂ内に臨むように進退動作する。
【００２９】
従って、図８（ａ）に示すシャッタ機構４０の開放時には、ソレノイド本体４２のプランジャ４２１が後退しているため、シャッタレバー４３は、玉整列通路３３ａ，３３ｂの外部に位置し、パチンコ玉Ｐは玉整列通路３３ａ，３３ｂ内を自由に流れる。
【００３０】
一方、シャッタ機構４０の閉鎖状態は、図８（ｂ）に示すように、ソレノイド本体４２のプランジャ４２１が前進し、シャッタレバー４３が玉整列通路３３ａ，３３ｂ内に侵入し、パチンコ玉Ｐの流れを遮断する。
【００３１】
なお、通路ケース３２に形成されている２列の玉整列通路３３ａ，３３ｂは、上述したように、受け皿通路部２０の整列通路２５ａ，２５ｂと連接しており、直線状でかつ下流側に向けて下方向に傾斜するように設けられている。
【００３２】
そして、その下流側に設置されるセンサ機構５０は、図６に示すように、一対の玉通過センサ５１ａ，５１ｂがセンサブラケット５２の下面に取り付けられており、このセンサブラケット５２は、通路ケース３２の左右側壁３２１から上方に突出して設けられた取付片３２３にばね５２１を介して取り付けられており、センサブラケット５２は玉整列通路３３ａ，３３ｂを清掃する際、玉整列通路３３に対して上下方向に開閉できるように取り付けられている。
【００３３】
また、計数部３０の本体フレーム３１の前面側には、前パネル３１１が装着されており、この前パネル３１１のホルダ部３１２に受け皿通路部２０の通路ホルダ２１背面側に設けられたシャフト２１１が軸受けされて計数部３０と受け皿通路部２０とが一体化される。なお、符号３１３はシャッタ機構４０を被覆するプレート、符号３１４はケーブルアッセンブリ体を示す。
【００３４】
次いで、本発明に係るセンサ故障判定装置の構成を図９のブロック図を基に説明すると、センサ故障判定装置は、玉通過センサ５１ａ，５１ｂ、シャッタ機構５０、マイコン６０、タイマ回路６１とから構成されており、玉通過センサ５１ａ，５１ｂの各々からはパチンコ玉Ｐの通過を検出した際、検出信号がマイコン６０に送信される。
【００３５】
さらに、左右側の各玉通過センサ５１ａ，５１ｂからの検出信号の有無により、第１の状態を検出するのに応答して、マイコン６０からシャッタ機構４０を閉動作させる指令が出されるが、シャッタ機構４０の閉鎖時間は、マイコン６０がタイマ回路６１を起動させ、１０秒程度の後、タイムアップ信号が出され、マイコン６０からの指令によりシャッタ機構４０を開動作させる。
【００３６】
また、左右側の各玉通過センサ５１ａ，５１ｂからの検出信号の有無により、第２の状態を検出した場合には、同様にマイコン６０からシャッタ機構４０を閉動作させる指令が出されるが、この場合は、タイマ回路６１は起動せず、リセットしない限りシャッタ機構４０は開動作しない。
【００３７】
次いで、本発明に係るセンサの故障判定方法について、図１０に示すフローチャート図を基に説明する。
【００３８】
まず、玉整列通路３３にパチンコ玉Ｐを流し、所定個数ｎ個まで計数する（ステップ６０１）。このとき、シャッタ機構４０は図８（ａ）に示す開状態であり、シャッタレバー４３が玉整列通路３３外に退避しているため、パチンコ玉Ｐは正常に流れ、玉整列通路３３の下流側に設置されているパチンコ玉Ｐ通過センサ５１によりパチンコ玉の通過を検出して、この検出信号を制御装置に送りカウントする。
【００３９】
そして、合算個数が所定個数（ｎ個）に達するまでの間に２列の玉整列通路３３ａ，３３ｂの下流側に設置されている玉通過センサ５１ａ，５１ｂの双方が検出信号を送信している（ステップ６０２“ＹＥＳ”）場合は、計数処理が続行（ステップ６０１）される。
【００４０】
一方、いずれかの玉通過センサが検出信号を送信していない場合、例えば、図１１に示すように、受け皿通路部２０の玉整列通路２５ａのみパチンコ玉Ｐが流れるいわゆる片流れ状態にあるとき、計数部３０においても一方側の玉整列通路３３ａのみパチンコ玉Ｐが流れ、一方側の玉通過センサ５１ａからは検出信号が送信されるが、他方側の玉通過センサ５１ｂからは検出信号が送られない状態（第１の状態）（ステップ６０２“ＮＯ”）となり、マイコン６０から、計数部３０内のシャッタ機構４０に指令が出され、シャッタ機構４０のソレノイド本体４２が駆動して、シャッタレバー４３が図８（ｂ）に示す位置まで玉整列通路３３ａ，３３ｂ内に侵入し、各玉整列通路３３ａ，３３ｂにおいてパチンコ玉Ｐの流れを遮断（ステップ６０３）する。
【００４１】
このとき、パチンコ玉Ｐは一方側の玉整列通路３３ａ及びこれと連接する玉整列通路２５ａに滞留し、仕分けリブ２４の玉振分部２４ａを超えて、図１２に示すように、受け皿通路部２０のケース２３内に多量のパチンコ玉Ｐが貯留される。
【００４２】
そして、所定時間ｍ秒（１０秒程度）経過後、タイマ回路６１からのタイムアップ信号により、マイコン６０からシャッタ機構４０に指令が出され、シャッタ機構４０を開放（タイマ手段）（ステップＳ６０４）する。すなわち、シャッタ機構４０のシャッタレバー４３が上方に開放され、玉整列通路３３ａ，３３ｂにパチンコ玉Ｐが再度流れはじめる。
【００４３】
従って、図１３に示すように、受け皿通路部２０に貯留されたパチンコ玉Ｐは、仕分けリブ２４に区画された２列の玉整列通路２５ａ，２５ｂに均一に供給され、片流れを規制した状態で２列にパチンコ玉Ｐを確実に供給でき、計数部３０内の玉整列通路３３ａ，３３ｂに確実にパチンコ玉Ｐが流れる。そして、所定個数（ｎ個）まで計数（ステップ６０５）するまでに、各玉整列通路３３ａ，３３ｂの下流側に設置されている一対の玉通過センサ５１ａ，５１ｂの検出信号が送信（ステップ６０６“ＹＥＳ”）されている場合、異常なしとして（ステップ６０１）に戻り、通常のカウント処理が続行して行なわれる。
【００４４】
また、このとき、玉通過センサ５１ａ，５１ｂの一方側のみ検出され、他方側から検出信号が送信されない状態（第２の状態）（ステップ６０６“ＮＯ”）であれば、マイコン６０からの指令によりシャッタ機構４０が閉鎖（ステップ６０７）され、センサ故障としてエラーが出力（ステップ６０８）される。
【００４５】
このように、本発明に係るセンサ故障判定方法並びに判定装置によれば、パチンコ玉が２列の整列通路内で片流れ状態にあるとき、シャッタ機構を制御して、複数の玉整列通路に均等にパチンコ玉Ｐを流すことにより、片流れ時に誤ってセンサ故障としてエラー出力することがないため、センサ故障を正確に判定でき、特に、ドル箱不要型の自己計数型のパチンコ台においては、パチンコ玉の片流れ状態が頻繁に生じるため、本発明に係るセンサの故障判定方法並びに判定装置を有効に適用できる。
なお、以上の実施形態では、本発明に係る方法及び装置を獲得玉自己計数型パチンコ台に適用したが、本発明に係る方法及び装置は、図示の実施形態に限定されることなく、上流端に玉振分部を有する仕分けリブと、該仕分けリブに沿ってその両側に設けられた左右側壁とを有する２条の玉整列通路と、該玉整列通路の下流側における各条の玉整列通路のそれぞれに設けられた玉通過センサとを有し、両玉通過センサの玉通過信号を合算して玉数を計数するパチンコ玉計数装置に広く適用できることは言うまでもない。
【００４６】
【発明の効果】
以上説明した通り、本発明に係るパチンコ玉計数装置におけるセンサ故障判定方法並びに判定装置によれば、玉通過センサの上流側にあるシャッタを動作させ、一定のパチンコ玉を貯留して、その後、一度に多量のパチンコ玉を玉整列通路に流せるようにし、複数のパチンコ玉整列通路に均等にパチンコ玉を流すことができ、センサの故障の判定を正確に行なうことができ、パチンコ玉計数装置の信頼性を高めることができるという効果を有する。
【図面の簡単な説明】
【図１】本発明に係るパチンコ玉計数装置をドル箱不要型のパチンコ台に設置した状態を示すパチンコ台の前面側から見た斜視図である。
【図２】本発明に係るパチンコ玉計数装置の構成を示す一部破断側面図である。
【図３】本発明に係るパチンコ玉計数装置を示す平面図である。
【図４】本発明に係るパチンコ玉計数装置における受け皿通路部の構成を示す分解斜視である。
【図５】本発明に係るパチンコ玉計数装置における受け皿通路部の正面図である。
【図６】本発明に係るパチンコ玉計数装置における計数部の構成を示す分解斜視図である。
【図７】図６に示す計数部におけるシャッタ機構を示す分解斜視図である。
【図８】図６に示す計数部におけるシャッタ機構の構成を示すもので、（ａ）シャッタ開放時、（ｂ）シャッタ閉鎖時をそれぞれ示す断面図である。
【図９】本発明に係るセンサ故障判定装置を示すブロック図である。
【図１０】本発明方法におけるマイコンの制御状態を示すフローチャート図である。
【図１１】本は発明に係るパチンコ玉計数装置における受け皿通路部でのパチンコ玉の片流れ状態を示す平面図である。
【図１２】本発明に係る計数装置におけるシャッタ閉鎖状態でのパチンコ玉貯留状態を示す受け皿通路部の平面図である。
【図１３】本発明に係るパチンコ玉計数装置におけるシャッタ再開状態におけるパチンコ玉の流れを示す受け皿通路部の平面図である。
【図１４】従来のパチンコ玉計数装置を取り付けたパチンコ台を前面側から見た斜視図である。
【図１５】従来のパチンコ玉計数装置の構成を示す側面図である。
【図１６】従来のパチンコ玉計数装置におけるシャッタ機構の構成を示す説明図である。
【図１７】従来のパチンコ玉計数装置におけるセンサ故障判定方法を示すフローチャート図である。
【符号の説明】
１  パチンコ台
１ａ  下皿
１０  パチンコ玉計数装置
２０  受け皿通路部
２２，２３  ケース
２４  仕分けリブ
２４ａ  玉振分部
２５ａ，２５ｂ  玉整列通路
３０  計数部
３２  通路ケース
３２２  仕分けリブ
３３ａ，３３ｂ  玉整列通路
４０  シャッタ機構
４３  シャッタレバー
５０  センサ機構
５１ａ，５１ｂ  玉通過センサ
６０  マイコン
６１  タイマ回路
Ｐ  パチンコ玉
【図１】
0003858955.tif 000002
【図２】
0003858955.tif 000003
【図３】
0003858955.tif 000004
【図４】
0003858955.tif 000005
【図５】
0003858955.tif 000006
【図６】
0003858955.tif 000007
【図７】
0003858955.tif 000008
【図８】
0003858955.tif 000009
【図９】
0003858955.tif 000010
【図１０】
0003858955.tif 000011
【図１１】
0003858955.tif 000012
【図１２】
0003858955.tif 000013
【図１３】
0003858955.tif 000014
【図１４】
0003858955.tif 000015
【図１５】
0003858955.tif 000016
【図１６】
0003858955.tif 000017
【図１７】
0003858955.tif 000018